(57)【要約】      （修正有）【課題】大型化と商品性の低下を抑制しつつ、調光状態を維持して照明負荷をオンオフでき、不用意な外力に対する操作部材の保護と誤操作を抑制できる調光器を提供する。【解決手段】調光器1は、取付け枠3、回路部5、回転操作部材21、及びプッシュ操作部材25を具備する。回路部5は、取付け枠3の裏側に配設された回路基板7、及びこの回路基板7に実装された各種電気部品からなる。照明負荷の調光率を設定する回転式のボリュームVRを操作するために、回転操作部材21を取付け枠3の前側に突出してボリュームVRに接続する。照明負荷をオンオフするプッシュスイッチPSをオンオフ操作するために、プッシュ操作部材25を取付け枠3の前側に突出して配置するとともに、コイルばね（付勢体）30で前方へ付勢する。両操作部材21，25のうちの一方の操作部材を筒状とし、この一方の操作部材の内側に他方の操作部材を配設する。【選択図】図３
2011154870.tif 000002
【特許請求の範囲】
【請求項１】
取付け枠と；
この取付け枠の裏側に配設された回路基板、及びこの回路基板に実装された各種電気部品からなる回路部であって、照明負荷の調光率を設定する回転式のボリュームと照明負荷をオンオフするプッシュスイッチとが前記各種電気部品の中に含まれている前記回路部と；
前記取付け枠の前側に突出して前記ボリュームに接続されこのボリュームを操作する回転操作部材と；
付勢体で前方へ付勢されて前記取付け枠の前側に突出して配置されていて前記プッシュスイッチをオンオフ操作するプッシュ操作部材と；
を具備するとともに、
前記回転操作部材と前記プッシュ操作部材のうちの一方の操作部材が筒状であり、他方の操作部材が前記一方の操作部材の内側に配設されていることを特徴とする調光器。
【請求項２】
前記取付け枠の前方への前記回転操作部材とプッシュ操作部材の突出寸法が異なっていることを特徴とする請求項１に記載の調光器。
【請求項３】
前記回転操作部材が前記プッシュ操作部材の外周を覆ってこのプッシュ操作部材の外側に配設されているとともに、前記取付け枠の前方への前記回転操作部材の突出寸法が前記取付け枠の前方への前記プッシュ操作部材の突出寸法以上に長いことを特徴とする請求項２に記載の調光器。
【請求項４】
前記回路部が、照明負荷に印加される電力を制御する電力制御素子と、この電力制御素子をトリガするトリガ素子と、このトリガ素子のブレークオーバー電圧を設定する直列回路を備えており、前記直列回路が、抵抗と、前記ボリュームと、コンデンサを直列接続して形成されていて、前記抵抗にこれをバイパスする設定スイッチが並設接続されていることを特徴とする請求項１から３のうちのいずれか一項に記載の調光器。
【請求項５】
前記取付け枠が金属製であり、前記各種電気部品のうちで相対的に大形の電気部品が前記取付け枠に対向しない前記回路基板の一側面に実装され、前記各種電気部品のうちで相対的に小形の電気部品が前記取付け枠に対向する前記回路基板の他側面に実装されているとともに、この小形の電気部品が発熱する前記電力制御素子を含んでおり、この電力制御素子が前記取付け枠に熱的に結合されていることを特徴とする請求項４に記載の調光器。
【発明の詳細な説明】
【技術分野】
【０００１】
本発明は、照明負荷を所望の調光率で点灯させるように操作される調光器に関する。
【背景技術】
【０００２】
建物の壁体に取付けられた埋込型配線器具用の取付枠に、この枠の開口窓から前側（室内側）に突出するケースを取付け、このケースに収納された回路部が調光用の回転式ボリュームを備え、このボリュームの操作軸に嵌合された操作摘子を回転操作することで、照明負荷の調光レベルを調節できる調光器が、従来技術として知られている（例えば、特許文献１参照）。
【０００３】
この調光器では、ケースが有したカバーの前面の略中央部に形成された円形状の孔に、ボリュームの操作軸と操作摘子が通されている。この操作摘子は、照明負荷をオフするマイクロスイッチをオフ操作するための押圧部を有している。
【０００４】
そのため、調光レベルを下げる向きに操作摘子を回転させて、この操作摘子が所定回転位置まで操作されると、押圧部がマイクロスイッチの操作片を押圧して、このマイクロスイッチがオフされ、照明負荷が消灯されるようになっている。したがって、この逆に消灯状態から操作摘子が回転操作されることにより、マイクロスイッチがオンされた後に照明負荷が点灯され、引き続いて調光レベルを調節することができる。
【先行技術文献】
【特許文献】
【０００５】
【特許文献１】特許第３７００３２９号公報（段落0016-0025、図１−図９）
【発明の概要】
【発明が解決しようとする課題】
【０００６】
既述のように従来の調光器は、ボリュームの操作軸に取付けられた操作摘子を回転操作することで、照明負荷のオンオフ及び調光をする構成であるので、一旦、設定された調光レベルを維持したままの状態で照明負荷をオフすることができない。そのため、照明負荷を点灯させるたびに、照明負荷の調光レベルを設定し直さなければならない、という不便がある。
【０００７】
この点を改善するために、操作摘子をボリュームの操作をするための専用部品とするとともに、この操作摘子とは別に、マイクロスイッチを操作するための専用のスイッチ操作摘子を、ボリューム操作用の操作摘子の例えば下側に並べて配置することが考えられる。
【０００８】
しかし、ボリューム操作用の操作摘子及びスイッチ操作摘子のいずれか一方を回転操作する際、他方の操作摘子が邪魔とならないように、ボリューム操作用の操作摘子とスイッチ操作摘子は、ある程度離して配置する必要がある。そのため、調光器の大型化を招来し易いとともに、調光器正面の意匠性が低下しかつそれに伴い商品性も低下することが考えられる。そして、こうした不都合は、埋込型配線器具用の取付枠にボリューム操作用の操作摘子を複数取付ける場合により顕在化する。更に、両操作摘子がある程度離れて配置されていると、これらに不用意に外力が作用した場合に、夫々が単独に機械的な負荷を受け易く、それにより、作用した外力で誤操作されやすいという恐れが考えられる。
【０００９】
以上のように従来技術は、調光状態を維持したままで照明負荷をオンオフできない、という課題があり、これを解決するためにボリューム操作用の操作摘子及びスイッチ操作摘子を並べて配置してボリュームの回転操作とマイクロスイッチのオンオフ操作を独立させる対策では、調光器の大型化と商品性の低下を招来し易く、しかも、外力に弱く、かつ、外力により誤操作され易い恐れがある、という課題がある。
【課題を解決するための手段】
【００１０】
前記課題を解決するために、請求項１の発明は、取付け枠と；この取付け枠の裏側に配設された回路基板、及びこの回路基板に実装された各種電気部品からなる回路部であって、照明負荷の調光率を設定する回転式のボリュームと照明負荷をオンオフするプッシュスイッチとが前記各種電気部品の中に含まれている前記回路部と；前記取付け枠の前側に突出して前記ボリュームに接続されこのボリュームを操作する回転操作部材と；付勢体で前方へ付勢されて前記取付け枠の前側に突出して配置されていて前記プッシュスイッチをオンオフ操作するプッシュ操作部材と；を具備するとともに、前記回転操作部材と前記プッシュ操作部材のうちの一方の操作部材が筒状であり、他方の操作部材が前記一方の操作部材の内側に配設されていることを特徴としている。
【００１１】
この発明で、取付け枠は、金属製又は合成樹脂製若しくはこれらの複合品のいずれかを使用できるとともに、付勢体には、コイルばね又は板ばね等を使用できる。この発明で、一方の操作部材が筒状であるとは、この操作部材の人手により触られる部位、つまり、取付け枠の前側に突出された部位が少なくとも筒状であることを指しており、筒状の形態の中でも円筒状であることが好ましいが、それ以外の筒形状であっても差し支えない。この発明で、一方の操作部材の内側に配設される他方の操作部材は、一方の操作部材と異形であって良いが、相似形とする方が意匠性を向上する上で好ましいとともに、双方の操作部材はそれらの中心軸線を共有して正面から見て同心的に配置することが、意匠性をより向上する上で好ましい。この発明で、外側に配設される一方の操作部材の突出方向の端面と、内側に配設される他方の操作部材の突出方向の端面は、面一となるように位置されていてもよく、或いは突出方向に異ならせて位置されていてもよい。又、内側に配設される他方の操作部材の突出方向の端面は、平坦面でも凹んだ面であっても差し支えない。
【００１２】
請求項１の発明は、回転操作部材により回転操作されるボリュームの他に、プッシュ操作部材によりオンオフされるプッシュスイッチを備えている。そのため、回転操作部材の回転操作で設定されたボリュームの調光率を維持したままの状態で、プッシュ操作部材をプッシュ操作することで、プッシュスイッチをオフして照明負荷を消灯できる。それに伴い、次に照明負荷を点灯させた場合に、ボリュームに設定されている調光率で照明負荷が点灯される。したがって、照明負荷の調光率を設定し直す必要がないので、取扱い上便利である。
【００１３】
更に、請求項１の発明では、回転操作部材とプッシュ操作部材のうちの一方の操作部材が筒状で、その内側に他方の操作部材が配設されている。そのため、前記一方の操作部材の配設スペースとは別の場所を確保してそこに他方の操作部材を配置する必要がなく、二個の操作部材を一箇所にまとめた状態でコンパクトに配設できるとともに、調光器正面の意匠性を向上できる。
【００１４】
しかも、筒状をなした一方の操作部材が、この一方の操作部材の内側に配設された他方の操作部材の外周を覆っている。そのため、他方の操作部材に不用意な外力が作用してこの操作部材が誤操作されることを一方の操作部材で抑制できるとともに、前記不用意な外力に対して他方の操作部材を一方の操作部材で保護できる。
【００１５】
加えて、筒状をなした一方の操作部材が回転操作部材である場合は、この回転操作部材の径が大きくなるに伴い、回転操作部材が作業者の手指で摘み易くなる。これとともに、筒状をなした一方の操作部材の内側に、他方の操作部材として回転操作部材が配設された場合と比較して、同じ角度の回転操作であっても手指の動きが大きくなるに伴い、ボリュームを細かく調整できる利点がある。
【００１６】
この逆に、筒状をなした一方の操作部材がプッシュ操作部材である場合は、このプッシュ操作部材を作業者の手指で摘み易くなるので、押し込み操作がし易い利点がある。その上、このプッシュ操作部材が他方の操作部材をなした回転操作部材を覆っているので、不用意な外力により回転操作部材が回転されて、設定されている調光率が変わることを。プッシュ操作部材をなす一方の操作部材で抑制できる利点がある。なお、一方の操作部材からなるプッシュ操作部材にこれを回そうとする外力が作用しても、それに伴いプッシュ操作部材が不用意に押し込まれることは困難であるので、プッシュ操作部材が所定ストローク以上に押し込まれることがなく、そのため、プッシュスイッチのオンオフ状態が不用意に切換えられることもない。
【００１７】
請求項２の発明は、請求項１の発明において、前記取付け枠の前方への前記回転操作部材とプッシュ操作部材の突出寸法が異なっていることを特徴としている。
【００１８】
この発明は、回転操作部材の突出寸法がプッシュ操作部材の突出寸法より長い態様と短い態様を含んでいる。なお、前者の長い態様では、プッシュ操作部材の突出方向の端面全体が回転操作部材の突出方向の端より取付け枠方向に奥まっていることに制約されず、プッシュ操作部材の突出方向の端面の内の周縁部は、回転操作部材の突出方向の端と突出方向に関して同じ位置であって、前記周縁部で囲まれる端面中央部領域が取付け枠方向に奥まっている形態を含んでいる。
【００１９】
この請求項２の発明で、回転操作部材がプッシュ操作部材の内側に配設されていて前記のように長い態様、又は回転操作部材がプッシュ操作部材の外側に配設されていて前記のように短い態様では、回転操作部材とプッシュ操作部材とに個々に手指を接してこれらを摘むことや押すことができるので、それぞれの操作部材の操作を容易に行うことができる利点がある。又、回転操作部材がプッシュ操作部材の内側に配設されていて前記のように短い態様、又は回転操作部材がプッシュ操作部材の外側に配設されていて前記のように長い態様では、外側位置の操作部材で、相対的に内側に配置された操作部材を、不用意な外力から保護する性能とこの不用意な外力による誤操作を抑制する性能をより向上できる。なお、こうした短い態様で、プッシュ操作部材より短い回転操作部材を操作する形態においては、この回転操作部材の突出方向の端面を手指で操作して、回転操作部材を回転操作すればよい。
【００２０】
請求項３の発明は、請求項１又は２の発明において、前記回転操作部材が前記プッシュ操作部材の外周を覆ってこのプッシュ操作部材の外側に配設されているとともに、前記取付け枠の前方への前記回転操作部材の突出寸法が前記取付け枠の前方への前記プッシュ操作部材の突出寸法以上に長いことを特徴としている。
【００２１】
この請求項３の発明では、プッシュ操作部材の外側に回転操作部材を配設したので、この回転操作部材を摘み易く、かつ、回転操作する際の手指の動きが大きくなるに伴い、ボリュームを細かく調整できる。これとともに、この回転操作部材の内側に配置されたプッシュ操作部材を、不用意な外力から保護する性能とこの不用意な外力による誤操作を抑制する性能をより向上できる、利点がある。
【００２２】
請求項４の発明は、請求項１から３のうちのいずれか一項において、前記回路部が、照明負荷に印加される電力を制御する電力制御素子と、この電力制御素子をトリガするトリガ素子と、このトリガ素子のブレークオーバー電圧を設定する直列回路を備えており、前記直列回路が、抵抗と、前記ボリュームと、コンデンサを直列接続して形成されていて、前記抵抗にこれをバイパスする設定スイッチが並設接続されていることを特徴としている。
【００２３】
この発明では、設定スイッチがオフされている状態では、直列回路を形成する全ての部品で設定される時定数により、トリガ素子のブレークオーバー電圧が設定されるので、照明負荷に印加される正弦波からなる電圧波形の下限域（例えば約５０Ｖ以下）については、ブレークオーバー電圧は設定されない。そのため、前記下限域では点灯状態が発現しない照明負荷である白熱ランプを点灯させるのに適した回路部とできる。又、設定スイッチがオンされた状態では、直列回路のボリュームとコンデンサのみで設定される時定数により、トリガ素子のブレークオーバー電圧が設定されるので、前記電圧波形の下限域についてもブレークオーバー電圧を設定できる。そのため、正弦波からなる電圧波形の０Ｖを超える電圧が印加されるに伴って点灯状態が発現する照明負荷であるＬＥＤランプを点灯させるのに適した回路部とできる。このように請求項４の発明では、設定スイッチの切換えにより回路部の特性を白熱ランプ又はＬＥＤランプに適合させて点灯させることができる。
【００２４】
請求項５の発明は、請求項４の発明において、前記取付け枠が金属製であり、前記各種電気部品のうちで相対的に大形の電気部品が前記取付け枠に対向しない前記回路基板の一側面に実装され、前記各種電気部品のうちで相対的に小形の電気部品が前記取付け枠に対向する前記回路基板の他側面に実装されているとともに、この小形の電気部品が発熱する前記電力制御素子を含んでおり、この電力制御素子が前記取付け枠に熱的に結合されていることを特徴としている。
【００２５】
この発明で、電力制御素子が取付け枠に熱的に結合されているとは、電力制御素子の熱が取付け枠に放出される関係にあることを指している。この熱的結合の一例としては、金属製の伝熱板の一端部を電力制御素子に固定するとともに他端部を取付け枠に固定した形態を挙げることができ、他の熱的結合の例としては、電力制御素子を直接取付け枠に接触させた態様を挙げることができる。
【００２６】
この請求項５の発明では、既述のように回路基板に対して電気部品が配設されたことで、発熱する電力制御素子を金属製の取付け枠に近づけて、これらを熱的に結合したことにより、電力制御素子の熱を取付け枠に放出し易い。
【発明の効果】
【００２７】
請求項１の発明によれば、大型化と商品性の低下を抑制しつつ、調光状態を維持したままで照明負荷をオンオフでき、しかも、不用意な外力から内側の操作部材を保護できるとともに、この外力による前記内側の操作部材の誤操作を抑制できる、という効果がある。
【００２８】
請求項２の発明によれば、請求項１の発明において、更に、回転操作部材とプッシュ操作部材の操作を夫々容易に行うことができるか、若しくは内側に配置された操作部材を、不用意な外力から保護する性能とこの不用意な外力による誤操作を抑制する性能をより向上できる、という効果がある。
【００２９】
請求項３の発明によれば、請求項１又は２の発明において、更に、プッシュ操作部材の外側に回転操作部材を配設したので、この回転操作部材の操作性を向上できるとともに、プッシュ操作部材を不用意な外力から保護でき、しかも、この外力によるプッシュ操作部材の誤操作を抑制できる、という効果がある。
【００３０】
請求項４の発明によれば、請求項１から３のうちのいずれかの発明において、更に、照明負荷が白熱ランプであってもＬＥＤランプであっても、設定スイッチの切換えにより回路部の特性を適合させて照明負荷を点灯させることができる、という効果がある。
【００３１】
請求項５の発明によれば、請求項４の発明において、更に、電力制御素子の熱を取付け枠に放出し易い、という効果がある。
【図面の簡単な説明】
【００３２】
【図１】本発明の第１実施形態に係る調光器を示す正面図である。
【図２】図１の調光器を一部切り欠いて示す側面図である。
【図３】図１中Ｆ３−Ｆ３線に沿って示す調光器の断面図である。
【図４】図１の調光器が備えるボリューム用の回転操作子とこの操作子に連動するボリュームとの関係を示す略正面図である。
【図５】図１の調光器の回路部を示す電気回路図である。
【図６】本発明の第２実施形態に係る調光器を示す図３相当の断面図である。
【図７】本発明の第３実施形態に係る調光器を示す図３相当の断面図である。
【図８】本発明の第４実施形態に係る調光器を示す図３相当の断面図である。
【発明を実施するための形態】
【００３３】
以下、本発明の第１実施形態について、図１〜図５を参照して詳細に説明する。
【００３４】
図１〜図３中符号１は第１実施形態に係る調光器を示している。調光器１は、照明負荷Ｓ（図５参照）を所望の調光率で点灯させるように操作されるものである。照明負荷Ｓは白熱ランプであっても、或いはＬＥＤ（発光ダイオード）を発光素子として用いたＬＥＤランプであってもよい。調光器１は、取付け枠３と、回路部５と、化粧カバー１５と、ホルダー１７と、回転操作部材２１と、プッシュ操作部材２５等を具備している。
【００３５】
取付け枠３は埋め込み型の配線器具用であり、サポート金具とも称される。この取付け枠３は例えば亜鉛クロムメッキが施された鉄（ＳＰＣＣ）等の金属製であり、縦長の略長方形をなしている。
【００３６】
図２及び図３に示すように回路部５は電気絶縁性の配線ボックス６に内蔵されている。配線ボックス６は建物の造営物である壁体に埋め込まれている。配線ボックス６に取付け枠３が前側（屋内側）から固定されて、この取付け枠３は配線ボックス６を前側（屋内側）から覆っている。
【００３７】
回路部５は、回路基板７及びこれに実装された各種の電気部品からなる。回路基板７は、両面の回路パターンを有した両面実装型の基板であり、取付け枠３の裏側に配設され、例えばこの取付け枠３に支持されている。
【００３８】
各種電気部品として、図５に示すプッシュスイッチＰＳ、ダイアックＱ１、トライアックＱ２、チョークコイルＬ、コンデンサＣ１〜Ｃ３、抵抗Ｒ１〜Ｒ４、ボリュームＶＲ、設定スイッチＳＣ，及びネオンランプＮＬが用いられている。
【００３９】
これら電気部品のうちで相対的に大形な電気部品、例えばチョークコイルＬ及びコンデンサＣ１〜Ｃ３等は、回路基板７の一側面、つまり、取付け枠３に対向しない側面に実装されている。これとともに、各種電気部品のうちで相対的に小形な電気部品、例えばプッシュスイッチＰＳ、ダイアックＱ１、トライアックＱ２、抵抗Ｒ１〜Ｒ４、ボリュームＶＲ、設定スイッチＳＣ，及びネオンランプＮＬ等は、回路基板７の他側面、つまり、取付け枠３に対向する側面に実装されている。
【００４０】
こうした電気部品の大きさを基準とした回路基板７に対する両面配置により、通電中発熱するトライアックＱ２を取付け枠３に接近させることができる。このトライアックＱ２と金属製の取付け枠３とは熱的に結合されている。この熱的結合を行うために、本実施形態では図２に示すように金属製の伝熱板１３が使用されている。伝熱板１３の一端部はトライアックＱ２にねじ止めされ、かつ、伝熱板１３の他端部は取付け枠３にねじ止めされている。
【００４１】
したがって、調光器１の使用時にトライアックＱ２の熱が、伝熱板１３を通じて取付け枠３に放熱されるので、トライアックＱ２の温度過昇を抑制できるとともに、回路基板７の裏側に配設されたコンデンサＣ１〜Ｃ３等がトライアックＱ２の熱で温度過昇することも抑制できる。更に、トライアックＱ２から前方に放射される熱量が減衰されるに伴い、トライアックＱ２の前方に配置される後述の回転操作部材２１及びプッシュ操作部材２５の温度が過度に上昇することを抑制できる。したがって、調光や電源のオンオフの操作を行う際に作業者に不安感を与えない、という利点がある。
【００４２】
図５に示すように配線ボックス６内に引き込まれた商用電源の両端端子８間に、プッシュスイッチＰＳと、トライアックＱ２と、チョークコイルＬの直列回路が挿入されている。トライアックＱ２は、照明負荷Ｓに印加される電力を制御する電力制御素子の一例である。トライアックＱ２と、チョークコイルＬの直列回路にコンデンサＣ１が並設接続されている。このコンデンサＣ１とチョークコイルＬによりノイズフィルタが形成されている。
【００４３】
コンデンサＣ３と、ボリュームＶＲと、抵抗Ｒ３の直列回路が、トライアックＱ２に並列接続されている。コンデンサＣ３とボリュームＶＲとの接続点と、トライアックＱ２のゲートとは、ダイアックＱ１を介して接続されている。ダイアックＱ１は、トライアックＱ２をトリガするトリガ素子の一例である。抵抗Ｒ３には、これを所望によりバイパスする設定スイッチＳＣが並列接続されている。設定スイッチＳＣは、例えばスライド操作式の切換えスイッチであり、オン操作されることで抵抗Ｒ３をバイパスしてこの抵抗Ｒ３に並列接続された状態と、オフ操作されることで抵抗Ｒ３をバイパスしない状態のいずれかを選択する。
【００４４】
前記接続点の電位がダイアックＱ１のブレークオーバー電圧に達すると、トライアックＱ２がトリガされてオンになり、このトライアックＱ２は一旦オンされると、次に商用電源の電圧波形がゼロクロス点に達するまでオン状態を保持する。したがって、ボリュームＶＲの抵抗値を調節するに伴い、コンデンサＣ３の端子間電圧がダイアックＱ１のブレークオーバー電圧に達するまでの時間を調節されるので、トライアックＱ２の点弧期間を調節でき、それにより、所望の調光率で照明負荷Ｓを点灯させることができる。
【００４５】
更に、コンデンサＣ３と、ボリュームＶＲと、抵抗Ｒ３の直列回路に、コンデンサＣ２と抵抗Ｒ１の直列回路が並列接続されている。コンデンサＣ２と抵抗Ｒ１の接続点は、コンデンサＣ３とボリュームＶＲとの接続点に、抵抗Ｒ２を介して接続されている。又、抵抗Ｒ４とネオンランプＮＬの直列回路はプッシュスイッチＰＳに並列接続されている。
【００４６】
プッシュスイッチＰＳは押される度にオンオフを繰り返す構成である。プッシュスイッチＰＳがオン状態にあるときにトライアックＱ２で調節された調光率で照明負荷Ｓへの給電がなされ、プッシュスイッチＰＳがオフされることで照明負荷Ｓへの給電が絶たれるようになっている。
【００４７】
図３に示すように回路基板７の前面に取付けられたプッシュスイッチＰＳは、回路基板７の幅方向中央に配設されている。このプッシュスイッチＰＳは、それが押されるためのスイッチ軸９を有している。このスイッチ軸９は、前方に向けて突出され、取付け枠３に形成された円筒部３ａ内に挿入されている。
【００４８】
図３に示すように回路基板７の前面に取付けられたボリュームＶＲは、例えばプッシュスイッチＰＳの横方向に並べて回路基板７の幅方向一端部に配設されている。このボリュームＶＲは、回転操作式のものであり、その前方に突出された回転軸１０に小歯車１１が固定されている（図３及び図４参照）。
【００４９】
前記取付け枠３はそれに前側から装着された合成樹脂製の化粧カバー１５で覆われている。この化粧カバー１５は円形の通孔１５ａ（図３参照）を有している。化粧カバー１５にはその周部を除いて平板状のホルダー１７が前側から装着されている。このホルダー１７も円形の通孔１７ａ（図３参照）を有している。通孔１７ａは化粧カバー１５の通孔１５ａに対向されている。図３に示すように化粧カバー１５とホルダー１７とにより保持溝１９が形成されている。この保持溝１９は、通孔１５ａ，１７ａ間に位置して環状に形成されている。前記設定スイッチＳＣの操作部は、ホルダー１７の前面に露出されていて、調光器１の前側からスライド操作されるように設けられている。これとともに、前記ネオンランプＮＬも、調光器１の前側から視認可能に設けられている。
【００５０】
回転操作部材２１は、合成樹脂又は軽金属の一体成型品であって、円筒状をなしていて、取付け枠３の前側に突出して設けられている。この回転操作部材２１の後部側部位の外周にストッパ凸部２２が設けられている。ストッパ凸部２２は例えば周方向に連続する環状のリブで形成されている。このストッパ凸部２２を保持溝１９に回動可能に嵌合させることによって回転操作部材２１が取付けられていて、この回転操作部材２１の軸方向（前後方向）への移動を化粧カバー１５とホルダー１７とで妨げている。
【００５１】
図３に示すように回転操作部材２１の後部側部位の内周にストッパ段部２３が設けられている。ストッパ段部２３は前記内周の周方向に連続していて、このストッパ段部２３を境に回転操作部材２１の前側の内径が小さく、回転操作部材２１の後側の内径が大きくなっている。なお、図４に記載の回転操作部材２１は、図の理解を容易にするためにストッパ凸部２２を省略して描かれている。
【００５２】
更に、回転操作部材２１の後端部の外周に歯車部２４が形成されている。この歯車部２４は、図３及び図４に示すように小歯車１１より大きく、この小歯車１１に噛み合わされている。したがって、回転操作部材２１が回転操作されることにより、その歯車部２４と小歯車１１との噛み合いを介してボリュームＶＲの回転軸１０が回転操作されて、このボリュームＶＲの抵抗値が調節される。なお、前記噛み合わせを実現するために、回転操作部材２１の後端部の一部を配線ボックス６内に露出させる逃げ部３ｂが取付け枠３に形成されている。
【００５３】
図３に示すようにプッシュ操作部材２５は、回転操作部材２１の内部に収容されて、この回転操作部材２１と同様に取付け枠３の前側に突出して設けられている。
【００５４】
プッシュ操作部材２５は、合成樹脂又は軽金属の一体成型品であって、円筒形の周壁２６と、この周部の軸方向一端部（前端部）を閉じた端壁２７と、この端壁２７の中央部内面に突設された押し軸２８と、周壁２６の後端部外周に沿って連続して突設されたフランジ部２９とを有している。端壁２７の前面は、その周縁側部位が傾斜されているので、中央部側に向けて凹んでいるが，これに限らず、凹みがなく平坦面で形成することも可能である。
【００５５】
このプッシュ操作部材２５と取付け枠３の例えば前記円筒部３ａの先端部との間に、付勢体例えばコイルばね３０が挟まれている。コイルばね３０は弾性変形された状態にあって、プッシュ操作部材２５を前方に付勢している。この付勢により、フランジ部２９が前記ストッパ段部２３に後側（裏側）から係合されて、それ以上、プッシュ操作部材２５が前方へ移動しないように位置決めされている。
【００５６】
この位置決め状態でも、端壁２７は、回転操作部材２１の前端開口から突出することなく奥まっていて、この回転操作部材２１の内側に配設されている（図３参照）。したがって、取付け枠３の前方への回転操作部材２１とプッシュ操作部材２５との突出寸法は異なっている。具体的には取付け枠３の前方への回転操作部材２１の突出寸法が、取付け枠３の前方へのプッシュ操作部材２５の突出寸法より長くなっている。そのため、プッシュ操作部材２５の外側に配設されている回転操作部材２１で、プッシュ操作部材２５の周壁２６の外周が覆われている。
【００５７】
更に、前記のようにプッシュ操作部材２５が位置決めされた状態で、その押し軸２８は、前記円筒部３ａ内に前側から挿入されて、プッシュスイッチＰＳのスイッチ軸９の前端に当接ないしは近接されている。したがって、コイルばね３０に抗してプッシュ操作部材２５が後方に押し込まれる都度、プッシュスイッチＰＳは押されてオンオフを繰り返すようになっており、押し込み後に、端壁２７から手指を離すことで、コイルばね３０により次の押し込み操作が可能となるようにプッシュ操作部材２５が押し戻された状態となる。
【００５８】
前記構成の調光器１は、外側の回転操作部材２１により回転操作されるボリュームＶＲの他に、内側のプッシュ操作部材２５によりオンオフされるプッシュスイッチＰＳを備えている。このため、回転操作部材２１の回転操作で設定されたボリュームＶＲの調光率を維持したままの状態で、プッシュ操作部材２５を押し込み操作することで、プッシュスイッチＰＳをオフして照明負荷Ｓをオフ（消灯）することができる。そのため、次に、プッシュ操作部材２５を押すことによりプッシュスイッチＰＳをオンさせた場合に、ボリュームＶＲに設定されている調光率で照明負荷Ｓをオン（点灯）させることができる。したがって、照明負荷Ｓの調光率を設定し直す必要がないので、取扱い上便利である。
【００５９】
又、一方の操作部材例えば回転操作部材２１が円筒状で、その内側に他方の操作部材例えばプッシュ操作部材２５が配設されているので、回転操作部材２１の配設スペースとは別の場所を確保してそこにプッシュ操作部材２５を配置する必要がない。そのため、回転操作部材２１とプッシュ操作部材２５を一箇所にまとめた状態でコンパクトに配設でき、それに伴い、両操作部材が見かけ上は恰も一つの操作部材であるかのような印象を与えるので、調光器１の正面の意匠性を向上できる。
【００６０】
更に、円筒状をなした回転操作部材２１が、その内側に配設されたプッシュ操作部材２５の外周を覆っている。このため、プッシュ操作部材２５に不用意な外力が作用して、このプッシュ操作部材２５が誤操作されることを、円筒状の回転操作部材２１で抑制できる。これとともに、同様の理由から前記不用意な外力に対してプッシュ操作部材２５を回転操作部材２１で保護することができる。
【００６１】
しかも、取付け枠３の前方への回転操作部材２１の突出寸法がプッシュ操作部材２５の突出寸法より長いので、相対的に外側位置の回転操作部材を操作しやすくできる。これとともに、相対的に内側位置のプッシュ操作部材２５を、外側位置の回転操作部材２１で、不用意な外力から保護する性能と、この不用意な外力によるプッシュ操作部材２５の誤操作を抑制する性能をより向上できる。
【００６２】
加えて、円筒状の回転操作部材２１はその内側にプッシュ操作部材２５が収容されることで、この回転操作部材２１の径がプッシュ操作部材２５より大きくなる。それに伴い、回転操作部材２１を作業者の手指で摘み易くなる。これとともに、筒状の操作部材をプッシュ操作部材２５としてその内側に回転操作部材２１が配設された場合と比較して、同じ角度の回転操作であっても、以上のように回転操作部材２１の径が大きいことにより、手指の動きが大きくなるに伴い、ボリュームＶＲを細かく調整できる。したがって、回転操作部材２１の操作性を向上できる。
【００６３】
又、前記構成の調光器１の回路部５は、ダイアックＱ１のブレークオーバー電圧を設定する直列回路が有した抵抗Ｒ３をバイパス可能な設定スイッチＳＣを備えている。この設定スイッチＳＣがオフされている状態では、ダイアックＱ１のブレークオーバー電圧が、抵抗Ｒ３とボリュームＶＲとコンデンサＣ３がなす時定数で設定されるので、照明負荷Ｓに印加される正弦波からなる電圧波形の下限域（例えば約５０Ｖ以下）については、ブレークオーバー電圧は設定されない。そのため、前記下限域では点灯状態が発現しない照明負荷Ｓである白熱ランプを点灯させるのに適する。
【００６４】
又、設定スイッチＳＣがオンされた状態では、ダイアックＱ１のブレークオーバー電圧が、前記直列回路のボリュームＶＲとコンデンサＣ３のみで時定数で設定されるので、照明負荷Ｓに印加される正弦波からなる電圧波形の前記下限域についてもダイアックＱ１のブレークオーバー電圧を設定できる。そのため、前記正弦波からなる電圧波形の０Ｖを超える電圧が印加されると点灯状態が発現する照明負荷ＳであるＬＥＤランプを点灯させるのに適する。
【００６５】
したがって、前記設定スイッチＳＣを有した回路部５を備えた前記調光器１は、照明負荷Ｓが白熱ランプであってもＬＥＤランプであっても、設定スイッチＳＣの切換えにより回路部５の特性を適合させて照明負荷Ｓを点灯させることができる。
【００６６】
図６は本発明の第２実施形態を示している。以下説明する事項以外は、図６に示されない構成を含めて第２実施形態は第１実施形態と同様である。そのため、第１実施形態と同様な構成については第１実施形態と同じ符号を付してその説明を省略する。
【００６７】
第２実施形態では、円筒状の回転操作部材２１と、プッシュ操作部材２５の取付け枠３に対する突出寸法が、第１実施形態とは逆の関係に異なっている。つまり、回転操作部材２１で外周を覆われたプッシュ操作部材２５の端壁２７は、筒状の回転操作部材２１の前端開口より前方に突出されている。これとともに、端壁２７の前面は平坦面で形成されている。
【００６８】
この点以外は第１実施形態と同じ構成である。したがって、第１実施形態で説明した理由により、この第２実施形態の調光器１においても、本発明の課題を解決できる。
【００６９】
なお、プッシュ操作部材２５の周壁２６の略全体が回転操作部材２１で覆われているので、プッシュ操作部材２５の前部が回転操作部材２１から突出しているにも拘らず、プッシュ操作部材２５に対する円筒状の回転操作部材２１による保護性能は、殆ど低下しない。
【００７０】
更に、プッシュ操作部材２５の前部が回転操作部材２１から突出していて、この状態で押し軸２８がプッシュスイッチＰＳ２のスイッチ軸９に接触若しくは近接している。そのため、外側の回転操作部材２１野制約を受けずに、プッシュ操作部材２５を容易に押し込み操作することができる。又、回転操作部材２１は、プッシュ操作部材２５の外周を覆っているので、これを容易に摘んで回転操作することができる。
【００７１】
なお、第２実施形態において、回転操作部材２１に対するプッシュ操作部材２５の前方への突出寸法Ａに対応させて、図６中の寸法Ｂだけ、スイッチ軸９から押し軸２８が前方に離された構成とすることができる。このようにして実施する場合には、寸法Ｂは遊び寸法であるので、この寸法Ｂだけプッシュ操作部材２５が押し込まれた以降に、プッシュスイッチＰＳ２に押し込み力が作用する。そのため、プッシュ操作部材２５が回転操作部材２１に対する突出分だけ不用意に押し込まれても、それに伴いプッシュスイッチＰＳ２が誤操作されることを防止できる。
【００７２】
図７は本発明の第３実施形態を示している。以下説明する事項以外は、図７に示されない構成を含めて第３実施形態は第１実施形態と同様である。そのため、第１実施形態と同様な構成については第１実施形態と同じ符号を付してその説明を省略する。
【００７３】
第３実施形態では、回転操作部材２１とプッシュ操作部材２５の位置関係を第１実施形態と逆にするとともに、これに合わせてボリュームＶＲとプッシュスイッチＰＳの位置関係も第１実施形態とは逆にしてある。
【００７４】
詳しくは、ボリュームＶＲは、回路基板７の幅方向の中央部前面に実装されていて、その回転軸１０の先端部（前端部）１０ａは非円形に形成されている。この非円形とするために、回転軸１０の先端部１０ａの周部の一部が切除されており、そのため、回転軸１０の端面形状はＤの字形状をなしている。
【００７５】
ボリュームＶＲには、取付け枠３の前側に突出して回転操作部材２１が接続されている。回転操作部材２１は、円筒形の周壁２１ａと、この周壁２１ａの軸方向一端部（前端部）を閉じた端壁２１ｂと、この端壁２１ｂの中央部内面に突設された接続軸２１ｃと、周壁２１ａの後端部から内側に突出された内側フランジ部２１ｄとを有している。端壁２１ｂの前面は、その周縁側部位が傾斜されているので、中央部側に向けて凹んでいるが，これに限らず、凹みがなく平坦面で形成することも可能である。
【００７６】
接続軸２１ｃはその先端に開口された接続穴２１ｅを有している。この接続穴２１ｅを回転軸１０の先端部１０ａに嵌合させることによって、接続軸２１ｃと回転軸１０とが一体的に回転するように接続されている。このように回転操作部材２１と回転軸１０とを直結したことで、第１実施形態で用いた歯車伝動を要しないので、構成が簡単である。
【００７７】
回転操作部材２１を回転操作することにより、ボリュームＶＲの回転軸１０が回転操作されて、このボリュームＶＲの抵抗値が調節される。この場合、回転操作部材２１の端壁２１ｂの前面の周部に指の腹を当てて、回転操作部材２１を回転操作すればよい。そのため、この回転操作部材２１が後述するようにプッシュ操作部材２５に内蔵されるにも拘らず、既述の回転操作を行うことができる。
【００７８】
又、取付け枠３には、その円筒部３ａの前端から外側に突出し、かつ、周方向に連続する環状の張り出し部３ｃが設けられていて、この張り出し部３ｃにはその裏側から内側フランジ部２１ｄが係合されている。これらの係合により、回転軸１０と接続軸２１ｃとの嵌合状態が維持されていて、回転操作部材２１がボリュームＶＲから前方に外れないようになっている。
【００７９】
プッシュスイッチＰＳは、ボリュームＶＲの側方に並べられて回路基板７の幅方向一端部前面に実装されている。
【００８０】
プッシュ操作部材２５は、略円筒状をなしていて、その後部側部位の外周に例えば周方向に連続する環状のリブからなるストッパ凸部２５ａが設けられている。更に、プッシュ操作部材２５は、ストッパ凸部２５ａを境に後側に突出する複数の突出部２５ｂを有している。
【００８１】
プッシュ操作部材２５は、回転操作部材２１の外周を覆ってこの回転操作部材２１の外側に設けられていて、取付け枠３の前側に突出されている。取付け枠３に対するプッシュ操作部材２５の突出長さと、同じく取付け枠３に対する回転操作部材２１の突出長さは、図７に示すように略同じである、ここに略同じであるとは、プッシュ操作部材２５の前端と、回転操作部材２１の端壁２１ｂの前面とが面一状態に高さが揃っている場合も含んでいる。
【００８２】
プッシュ操作部材２５のストッパ凸部２５ａはホルダー１７の通孔１７ａの縁部にその裏側から係合可能であり、その係合によって、プッシュ操作部材２５の前方向への移動が妨げられている。プッシュ操作部材２５の突出部２５ｂは、取付け枠３に複数形成された通孔３ｄに夫々通されていて、それにより、プッシュ操作部材２５の前後方向の移動を許している。
【００８３】
プッシュ操作部材２５はその内周にばね受け用の環状段部２５ｃを有している。この環状段部２５ｃと取付け枠３との間にコイルばね３０が付勢されている。それにより、プッシュ操作部材２５が前方に付勢されていて、ストッパ凸部２５ａが通孔１７ａの縁部に係合してプッシュ操作部材２５が前方へ抜けないように位置決めされている。
【００８４】
この位置決め状態で、各突出部２５ｂは対応する通孔３ｄに夫々通された状態を保持している。各突出部２５ｂのうちの一つは、プッシュスイッチＰＳの押し軸として用いられていて、この押し軸を兼ねた突出部２５ｂはスイッチ軸９の先端面に接触又は近接されている。なお、以上の点以外の構成は第１実施形態と同じ構成である。したがって、第１実施形態で説明した理由により、この第３実施形態の調光器１においても、本発明の課題を解決できる。
【００８５】
すなわち、必要に応じて図５等を参照して説明すれば、図７に示した調光器１は、内側の回転操作部材２１により回転操作されるボリュームＶＲの他に、外側のプッシュ操作部材２５によりオンオフされるプッシュスイッチＰＳを備えている。このため、回転操作部材２１の回転操作で設定されたボリュームＶＲの調光率を維持したままの状態で、プッシュ操作部材２５を押し込み操作することで、プッシュスイッチＰＳをオフして照明負荷Ｓをオフ（消灯）することができる。そのため、次に、プッシュ操作部材２５を押すことによりプッシュスイッチＰＳをオンさせた場合に、ボリュームＶＲに設定されている調光率で照明負荷Ｓをオン（点灯）させることができる。したがって、照明負荷Ｓの調光率を設定し直す必要がないので、取扱い上便利である。
【００８６】
又、一方の操作部材例えばプッシュ操作部材２５が円筒状で、その内側に他方の操作部材例えば回転操作部材２１が配設されているので、プッシュ操作部材２５の配設スペースとは別の場所を確保してそこに回転操作部材２１を配置する必要がない。そのため、回転操作部材２１とプッシュ操作部材２５を一箇所にまとめた状態でコンパクトに配設でき、それに伴い、両操作部材が見かけ上は恰も一つの操作部材であるかのような印象を与えるので、調光器１の正面の意匠性を向上できる。
【００８７】
更に、円筒状をなしたプッシュ操作部材２５が、その内側に配設された回転操作部材２１の外周を覆っている。このため、回転操作部材２１に不用意な外力が作用して、この回転操作部材２１が誤操作されることを、円筒状のプッシュ操作部材２５で抑制できる。これとともに、同様の理由から前記不用意な外力に対して回転操作部材２１をプッシュ操作部材２５で保護することができる。
【００８８】
しかも、取付け枠３の前方へのプッシュ操作部材２５の突出寸法が回転操作部材２１の突出寸法と略同じであるので、相対的に内側位置の回転操作部材２１を、外側位置のプッシュ操作部材２５で、不用意な外力から保護する性能とこの不用意な外力による誤操作を抑制する性能をより向上できる。
【００８９】
加えて、円筒状のプッシュ操作部材２５の内側に収容された回転操作部材２１は、ボリュームＶＲに直結されていて、軸方向に移動しないので、回転操作部材２１及び外側のプッシュ操作部材２５が共に押し込まれようとした場合、回転操作部材２１がストッパとなる。そのため、プッシュ操作部材２５が所定ストローク以上に不用意に押し込まれることがなくなるに伴い、プッシュスイッチＰＳのオンオフ状態が不用意に切換えられることを抑制できる。
【００９０】
又、前記構成の調光器１の回路部５は、第１実施形態で既に説明したようにダイアックＱ１のブレークオーバー電圧を設定する直列回路が有した抵抗Ｒ３をバイパス可能な設定スイッチＳＣを備えているので、照明負荷Ｓが白熱ランプであってもＬＥＤランプであっても、設定スイッチＳＣの切換えにより回路部５の特性を適合させて照明負荷Ｓを点灯させることができる。
【００９１】
図８は本発明の第４実施形態を示している。以下説明する事項以外は、図８に示されない構成を含めて第４実施形態は第３実施形態と同様である。そのため、第３実施形態と同様な構成については第３実施形態と同じ符号を付してその説明を省略する。
【００９２】
第４実施形態では、円筒状のプッシュ操作部材２５と回転操作部材２１の取付け枠３に対する突出寸法が、第３実施形態と逆の関係に異なっている。つまり、プッシュ操作部材２５で外周を覆われた回転操作部材２１の端壁２１ｂは、円筒状のプッシュ操作部材２５の前端開口より前方に突出されている。これとともに、端壁２１ｂの前面は平坦面で形成されている。
【００９３】
この点以外は第３実施形態と同じ構成である。したがって、第３実施形態で説明した理由により、この第４実施形態の調光器１においても、本発明の課題を解決できる。
【００９４】
なお、回転操作部材２１の周壁２１ａの略全体がプッシュ操作部材２５で覆われているので、回転操作部材２１の前部がプッシュ操作部材２５の前端から突出しているにも拘らず、回転操作部材２１に対する円筒状のプッシュ操作部材２５による保護性能は、殆ど低下しない。
【００９５】
しかも、第４実施形態では、回転操作部材２１の前部がプッシュ操作部材２５の前端から突出しているので、回転操作部材２１とプッシュ操作部材２５を、それらに個々に接して、摘んで回すことや押すことができる。これにより、それぞれの操作部材の操作を容易に行うことができる利点がある。更に、前記のようにプッシュ操作部材２５よりも前側に突出されていて前後方向に移動しない回転操作部材２１によって、回転操作部材２１及び外側のプッシュ操作部材２５が共に押し込まれようとした場合、プッシュ操作部材２５が不用意に押し込まれないようにする回転操作部材２１のストッパ作用を、より確実に発揮させることができる。
【符号の説明】
【００９６】
１…調光器、Ｓ…照明負荷、３…取付け枠、５…回路部、７…回路基板、ＰＳ…プッシュスイッチ（電気部品）、Ｌ…チョークコイル（電気部品）、Ｑ１…ダイアック（トリガ；電気部品）、Ｑ２…トライアック（電力制御素子；電気部品）、Ｃ１〜Ｃ…コンデンサ（（電気部品）、Ｒ１〜Ｒ４…抵抗（電気部品）、ＶＲ…ボリューム、ＳＣ…設定スイッチ、ＮＬ…ネオンランプ（電気部品）、２１…回転操作部材、２５…プッシュ操作部材、３０…コイルばね（付勢体）
【図１】
2011154870.tif 000003
【図２】
2011154870.tif 000004
【図３】
2011154870.tif 000005
【図４】
2011154870.tif 000006
【図５】
2011154870.tif 000007
【図６】
2011154870.tif 000008
【図７】
2011154870.tif 000009
【図８】
2011154870.tif 000010